(57)【要約】【課題】パネル貫通孔の裏面側に磁石を用いる狭持部材の一方側が存し、これに当該狭持部材の他方側をパネルの表面側から磁力で吸着させて狭持する構造において、より簡単に作業ができるようにする。【解決手段】パネル狭持構造として、１以上の貫通孔が形成されたパネルと、磁性体からなり、前記貫通孔に前記パネルの背面側から貫通する柱状部を先端側に有し、前記貫通孔を通らない大きさに形成され、前記パネルの背面側に当接する膨大部が前記柱状部の基端側に形成される前記貫通孔ごとに設けられるピンと、偏平な円柱状で、中央に前記ピンの柱状部先端が通る貫通孔が形成され、一の底面がＳ極を他の底面がＮ極を構成する磁石からなり、底面間の厚さが、前記膨大部が前記パネルの背面側に当接した状態において前記柱状部が前記パネルの貫通孔の表面側から突出する長さ以上に形成される磁石からなる前記ピンごとに設けられる固定部材とから構成する。【選択図】  図３
2016148367.tif 000002
【特許請求の範囲】
【請求項１】
１以上の貫通孔が形成されたパネルと、
前記貫通孔に前記パネルの背面側から貫通して表面側で突出する磁性体からなる柱状部が先端側に設けられるとともに、前記貫通孔を通らない大きさに形成され、前記パネルの背面側に当接する膨大部が前記柱状部の基端側に形成された前記貫通孔ごとに設けられるピンと、
偏平な円柱状で、中央に前記ピンの柱状部先端が通る貫通孔が形成され、一の底面がＳ極を他の底面がＮ極を構成する磁石からなり、底面間の厚さが、前記膨大部が前記パネルの背面側に当接した状態において前記柱状部が前記パネル貫通孔の表面側から突出する長さ以上に形成される磁石からなる前記ピンごとに設けられる固定部材と
からなるパネル狭持構造。
【請求項２】
前記固定部材は、前記パネルの表面側に面する底面に少なくとも前記柱状部が通る開口が形成されたカバーで覆われるものである請求項１に記載のパネル狭持構造。
【請求項３】
前記カバーは前記磁石の前記パネルの表面側に面する底面位置から前記パネルの表面側に突出するよう形成されるものであって、
前記磁石の底面間の厚さが、前記膨大部が前記パネルの裏面側に当接した状態において前記柱状部が前記パネルの貫通孔の表面側から突出する長さ以上に形成されることに代えて、前記磁石の底面間の厚さが、前記膨大部が前記パネルの裏面側に当接した状態において前記柱状部が前記パネルの貫通孔の表面側から突出する長さから前記カバーの前記突出する部分の長さを引いた長さ以上に形成される
請求項２に記載のパネル狭持構造。
【請求項４】
前記パネルの前記表面側における前記カバーが当接する位置に、前記カバーが嵌る凹部が形成される請求項２又は３に記載のパネル狭持構造。
【請求項５】
前記パネルは枠を有さないものであるとともに、前記パネルの貫通孔は前記パネルの外周縁近傍に形成されるものであって、
前記カバーは前記パネルに嵌る枠を構成するものである請求項２から４のいずれか１項に記載のパネル狭持構造。
【請求項６】
前記ピンは膨大部の基端側面にネジ穴が形成される請求項１から５のいずれかに記載のパネル狭持構造。
【発明の詳細な説明】
【技術分野】
【０００１】
本発明は、展示パネルなどのパネルを固定するために狭持する構造に関する
【背景技術】
【０００２】
従来、展示用のパネルを壁面に固定したり、パネルに枠を固定したりするような場合、一般的にはネジを用いた狭持構造が採用されることが一般的である。しかし、ネジを用いるとネジをネジ穴に係合させて、相対的に回転させる作業が必要となり、非常に作業効率が悪いという問題がある。これを解決する方法として、下記特許文献には、磁石を用いた狭持構造が示されている。これは、壁面に固定された内部に磁石又は磁性体を設けた筒状の固定受け部に、パネルに設けられた貫通孔を裏面側で位置づけ、パネルの表面側から、固定受け部にパネルの貫通孔を介して、当該固定受け部に挿入できる前記磁石又は磁性体に吸着可能な磁石又は磁性体からなるピンを有する挿入側部材を挿入することで、磁力によってパネルを固定受け部と挿入側部材とで狭持固定するものである。このような構造によれば、挿入側部材を挿入するだけで狭持が完了するので、作業効率を改善することができる。
【先行技術文献】
【特許文献】
【０００３】
【特許文献１】実用新案登録第３１４４６０９号公報
【発明の概要】
【発明が解決しようとする課題】
【０００４】
しかしながら、パネルの貫通孔を固定受け具のある場所に位置合わせした状態を保持しながら、挿入側部材を挿入するのは難しく、一人の作業員で行うことは容易ではない。
本発明は、このような問題に鑑みて、パネル貫通孔の裏面側に磁石を用いる狭持部材の一方側が存し、これに当該狭持部材の他方側をパネルの表面側から磁力で吸着させて狭持する構造において、より簡単に作業ができるようにすることを課題とする。
【課題を解決するための手段】
【０００５】
上記課題を解決するために、本発明は次のような構成を有する。
請求項１に記載の発明は、１以上の貫通孔が形成されたパネルと、磁性体からなり、前記貫通孔に前記パネルの背面側から貫通して表面側で突出する柱状部が先端側に設けられるとともに、前記貫通孔を通らない大きさに形成され、前記パネルの背面側に当接する膨大部が前記柱状部の基端側に形成された前記貫通孔ごとに設けられるピンと、偏平な円柱状で、中央に前記ピンの柱状部先端が通る貫通孔が形成され、一の底面がＳ極を他の底面がＮ極を構成する磁石からなり、底面間の厚さが、前記膨大部が前記パネルの背面側に当接した状態において前記柱状部が前記パネルの貫通孔の表面側から突出する長さ以上に形成される磁石からなる前記ピンごとに設けられる固定部材とからなるパネル狭持構造である。なお、本願におけるパネルは、単体の板体からなるもの、複数の板体が重ねられたもの、これらのものに枠が固定されているもの、表面側の板体が透明でこれの裏面にシート体が挟まれたものなどが含まれる。また、磁石の厚さは前記柱状部が前記パネルの貫通孔の表面側から突出する長さの２倍以下であることが望ましい。
請求項２に記載の発明は、前記パネル狭持構造において、前記固定部材は、前記パネルの表面側に面する底面に少なくとも前記柱状部が通る開口が形成されたカバーで覆われるものである。
請求項３に記載の発明は、請求項２に記載の発明において、前記カバーは前記磁石の前記パネルの表面側に面する底面位置から前記パネルの表面側に突出するよう形成されるものであって、前記磁石の底面間の厚さが、前記膨大部が前記パネルの裏面側に当接した状態において前記柱状部が前記パネルの貫通孔の表面側から突出する長さ以上に形成されることに代えて、前記磁石の底面間の厚さが、前記膨大部が前記パネルの裏面側に当接した状態において前記柱状部が前記パネルの貫通孔の表面側から突出する長さから前記カバーの前記突出する部分の長さを引いた長さ以上に形成されるものである。なお、やはり磁石の厚さは、前記柱状部が前記パネルの貫通孔の表面側から突出する長さから前記カバーの前記突出する部分の長さを引いた長さの２倍以下であることが望ましい。
請求項４に記載の発明は、請求項２又は３に記載のパネル狭持構造において、前記パネルの前記一面側における前記カバーが当接する位置に、前記カバーが嵌る凹部が形成されるものである。
請求項５に記載の発明は、前記パネル狭持構造において、前記パネルは枠を有さないものであるとともに、前記貫通孔は前記パネルの外周縁近傍に形成されるものであって、  前記カバーは前記パネルに嵌る枠を構成するものである。
請求項６に記載の発明は、前記パネル狭持構造において、前記ピンは膨大部の基端側面にネジ穴が形成されるものである。
【発明の効果】
【０００６】
以上のような構成により本発明は、次のような効果を奏する。
請求項１に記載の発明は、まず、ピンの柱状部をパネルの貫通孔に裏面から通し、その後でパネルの表面から突出するピンの柱状部に固定部材の貫通孔を通すように固定する。このような手順でパネルを狭持することができるので、最初にピンの柱状部をパネルの貫通孔に通すことでピンの柱状部とパネルの貫通孔の位置がずれず、容易にピンの柱状部先端に固定部材の貫通孔を通すことができ、一人でも比較的容易に作業を行うことが可能となる。そして、磁性体の柱状部に両底面がそれぞれＳ極Ｎ極のリング状の磁石からなる固定部材を通すと、柱状部先端側の磁力線は柱状部の先端面と磁石のパネル表面から離れた側の一底面とが並んだ状態が最も距離が短くなり安定する。従って、固定部材を構成する磁石の底面間の厚さを、前記膨大部が前記パネルの背面側に当接した状態において前記柱状部が前記パネルの貫通孔の表面側から突出する長さ以上に形成することで、磁石の厚さが前記柱状部が前記貫通孔の表面側から突出する長さと一致するときは最も強い力で係合してピンの膨大部と固定部材間にちょうどパネルを狭持でき、磁石の厚さがこれよりも厚い場合は、安定した状態になろうとしてパネル表面側に引きつけられることとるのでパネルは一定の狭持力でピンの膨大部と固定部材間に挟まれてしっかりと狭持できることとになる。さらに、突出した柱状部に固定部の貫通孔が通るので固定部はパネルに平行な方向の動きが拘束されずれることがない。
請求項２に記載の発明は、固定部材がカバーで覆われることで見た目が良くなり装飾性を高めることができる。
請求項３に記載の発明は、カバーがパネルの表面側に突出している場合には固定部材を構成する磁石の厚さを調節することで、やはり磁石が最も安定する位置、又は、磁石がパネル側に引き込まれる位置に存するので、パネルをカバーとピンの膨大部との間にしっかりと狭持することができる。
請求項４に記載の発明は、パネル表面にカバーが嵌る凹部を形成することでカバーがパネル平面に平行な方向にずれることが抑制されて安定するとともに、見た目を良くすることができる。
請求項５に記載の発明は、カバーをパネルの枠とすることで、パネルへの枠の固定を簡易な作業で行うことができる。
請求項６に記載の発明は、ピンの膨大部の基端面側にネジ穴を固定することで、ピンを壁面やフレームに固定することができる。
【図面の簡単な説明】
【０００７】
【図１】実施形態に係る壁面にパネルを固定するパネル狭持構造の分解斜視図である。
【図２】図１における一のピン部分近傍の拡大分解断面図である。
【図３】実施形態に係る壁面にパネルを固定するパネル狭持構造の一のピン部分近傍の拡大断面図である。
【図４】枠をパネルに固定するパネル狭持構造の分解斜視図である。
【図５】図４における一のピン部分近傍の拡大分解断面図である。
【図６】枠をパネルに固定するパネル狭持構造のおける一のピン部分近傍の拡大断面図である。
【図７】図６の変形例を示す拡大断面図である。
【図８】（ａ）は変形例に係るパネルの貫通孔表面側の部分拡大斜視図であり、（ｂ）は（ａ）のパネルを用いたパネルにカバーが嵌る凹部を形成した場合の拡大断面図である。
【発明を実施するための形態】
【０００８】
以下、本発明の実施の形態について、図面を参照しながら説明する。図１に実施形態に係る壁面にパネルを固定するパネル狭持構造の分解斜視図を示す。パネル狭持構造はパネル１０、ピン２０、キャップ３０、下地ネジ４０、タップネジ５０とから構成される。また、図２に、一のピン２０部分近傍の拡大分解断面図を示す。
パネル１０は、透明な略長方形状のアクリル板を２枚重ねたパネルで間にポスターなどのシートが挟まれる。そして重なったアクリル板の四隅に丸穴による貫通孔１１が形成される。
ピン２０は磁性体からなり、先端側に前記貫通孔１１の内径より若干小さい外径を有し、前記パネル１０の厚さよりも長く形成される、先端に面取りが施された円柱からなる柱状部２１と、柱状部２１の基端側に設けられる貫通孔１１が通らない外径を有する円柱からなる膨大部２２とから構成される。膨大部２２の基端側底面には内周に雌ネジが形成された丸穴からなる基端側ナット部２２ａが形成されている。
キャップ３０は、中央に前記貫通孔１１とほぼ同じ大きさの貫通孔３１ａが形成された偏平な円柱状のネオジム磁石からなる固定部材３１と、固定部材３１の外径に嵌る内径を有する上面が閉じた円筒体からなる固定部材３１に固定されるカバー３２とから構成される。固定部材３１を構成する磁石は一底面がＮ極で、他底面がＳ極であり、ピン２０の柱状部２１の長さからパネル１０の厚さを引いた長さより若干厚く形成される。カバー３２の内部空間は固定部材３１の外形とほぼ一致し、固定部材３１の表出する側の底面とカバー３２の開口縁とは同じ平面に存する。
下地ネジ４０はピン２０の基端側ナット部２２ａに係合するネジが外周に切られた円柱体で、中央にタップネジ５０の頭部が嵌るザグリが形成された当該タップネジ５０が通る貫通孔４１が設けられている。タップネジ５０は一般的なタップネジである。
【０００９】
次に、以上のような構成を有するパネルの狭持構造の組み立て手順について説明する。まず、パネル１０の貫通孔１１の位置のそれぞれに合致するように壁面に、下地ネジ４０をタップネジ５０を用いて固定する。次に固定した各下地ネジ４０にピン２０の基端側ナット部２２ａを係合させてピン２０を壁面に固定する。ピン２０が固定できたら、ピン２０の柱状部２１にパネル１０の貫通孔１１を挿入し、パネル１０の裏面をピン２０の膨大部２２に当接させる。この状態でパネル１０は柱状部２１に支持されて落下することはないので、作業者は手を離すことができる。最後に、パネル１０の各貫通孔１１から突出するピン２０の柱状部２１先端にキャップ３０の固定部材３１中央の貫通孔３１ａを通すことでキャップ３０を嵌めれば作業は完了する。図３にこの状態の一のピン２０近傍の拡大断面図を示す。図に示すように固定部材３１を構成する磁石のパネルから遠い方の底面は、磁性体からなるピン２０の柱状部２１の先端面より若干離れたところに位置する。磁力線は当該磁石底面が柱状部２１の先端面と同じ高さになったときが最も短くなり安定するので、固定部材３１はパネル１０側に向かって移動する力が生じる。この力によってパネル１０は固定部材３１とピン２０の膨大部２２との間にしっかりと狭持固定される。また、固定部材３１を構成する磁石はネオジム磁石であるため軽く引っ張った程度では外れることがなく、比較的強固にパネル１０を壁面に固定することができる。
以上、説明したように本実施形態に係るパネルの狭持構造によれば、パネル１０の貫通孔１１を壁面に固定されたピン２０の柱状部２１に挿入すれば、パネル１０はこの状態で保持できるので、きわめて作業効率がよい。また、中央に貫通孔の形成された磁石を磁性体の柱状部２１先端に挿入した場合に、磁石の離れた側の底面と柱状部先端が揃おうとして引き込まれる力を利用してパネル１０を狭持するのでパネル１０を安定して固定することができる。
【００１０】
なお、上記実施形態においては壁面にパネルを固定する場合について説明したが、例えば、枠のないパネルに枠を固定するような場合にも本実施形態に係る狭持構造を利用することができる。
図４に枠をパネルに固定するパネル狭持構造の一例の分解斜視図を示す。当該パネル狭持構造は、パネル６０、ピン７０、枠８０から構成される。図５に一のピン７０部分近傍の拡大分解断面図を示す。
パネル６０は実施形態１に係るパネル１０と同様アクリルパネルを２枚重ねて間にシートが挟まれるものであり、四隅に丸穴からなる貫通孔６１が形成される。
ピン７０は磁性体からなり、先端側に前記貫通孔６１の内径より若干小さい外径を有し、前記パネル６０の厚さより十分に長く形成される、先端に面取りが施された円柱からなる柱状部７１と、柱状部７１の基端側に設けられる貫通孔６１が通らない外径を有する円板からなる膨大部７２とから構成される。
枠８０はパネル６０に嵌る形状を有する枠であり、パネル外周面に嵌る大きさの裏面が開放した偏平な角筒状部の表面側に大きな長方形状の開口が形成された枠本体８１、枠本体８１のパネル６０を嵌めたときに貫通孔６１に合致する部分に形成される貫通孔６１とほぼ同じ大きさの貫通孔８２、各貫通孔８２の表面側に固定される中央に前記貫通孔６１とほぼ同じ大きさの貫通孔８３ａが形成された偏平な円柱状のネオジム磁石からなる固定部材８３、固定部材８３に嵌る、上面が閉じた円筒体からなる枠本体８１に固定されるカバー部材８４から構成される。なお、固定部材８３からみて、カバー部材８４と枠本体８１とをあわせたものが固定部材８３を覆うカバーを構成する。固定部材３１を構成する磁石は一底面がＮ極で、他底面がＳ極であり、ピン７０の柱状部７１の長さからパネル６０の厚さと枠本体８１の貫通孔８２が形成された部分の厚さを引いた長さより若干厚く形成される。
図６に以上の構成からなるパネル狭持構造を組み立てた一のピン６０近傍の拡大断面図を示す。図に示すように固定部材８３を構成する磁石のパネルから遠い方の底面は、磁性体からなるピン６０の柱状部６１の先端面より若干離れたところに位置するので、やはり、固定部材８３はパネル５０側に向かって移動する力が生じる。この力によってパネル５０は固定部材８３に押される枠本体８１とピン６０の膨大部６２との間にしっかりと狭持固定されることとなる。このように組み立てられた枠付きのパネルはイーゼルなどに立てかけて展示でき、さらに、ピン６０の基端側に図７に示す断面図のようにネジ穴７３を形成すれば、固定フレームや壁面などに固定することができる。
なお、上記実施形態では、パネル１０表面は平らであるが、図８（ａ）の拡大斜視図及び図８（ｂ）の断面図に示すように貫通孔１１の表面側にカバーが嵌る凹部１１ａを形成するようにしてもよい。このようにすることで、よりキャップ３０が安定し、見た目もよくすることができる。
また、上記実施形態ではパネルの形状として長方形状のものを示しているが、円形や雲形等任意の形状のパネルに採用することができる。この場合、用途に応じてパネルの貫通孔を適当な位置に設けることができる。それから、上記実施形態ではパネルは２枚重ねたものが例示されているが、１枚単体のものでもよく、枠が設けられているものでもよい。
さらに、固定部材のカバーの形状も固定部材が適正な姿勢で内部に固定でき、ピンの柱状部が固定部材の貫通孔を通ることができるような開口が設けてあれば、任意の形状を採用することができる。また、上記図４乃至６に示す枠本体１８とカバー部材８４とがカバーを構成するものにおいて、カバー部材８４を無くして、枠本体１８の裏面に固定部材３１を固定するようにしてもよい。
【符号の説明】
【００１１】
１０、６０  パネル
１１  貫通孔（パネル）
２０、７０  ピン
３０  キャップ
３１、８３  固定部材
３１ａ、８３ａ  貫通孔（磁石）
３２  カバー
４０  下地ネジ
５０  タップネジ
８０  枠
【図１】
2016148367.tif 000003
【図２】
2016148367.tif 000004
【図３】
2016148367.tif 000005
【図４】
2016148367.tif 000006
【図５】
2016148367.tif 000007
【図６】
2016148367.tif 000008
【図７】
2016148367.tif 000009
【図８】
2016148367.tif 000010